(57)【特許請求の範囲】
【請求項１】
記録開始から記録停止までの連続する１つの動画が複数の記録媒体に跨って記録されている一連のリレー動画を編集する動画編集装置であって、
第１の記録媒体に記録されている動画のシーンの中から、編集処理を行うシーンを選択するシーン選択手段と、
前記シーン選択手段により選択されたシーンが、リレー動画の一部であるかを判定する判定手段と、
前記シーン選択手段により選択されたシーンに対して編集処理を行う編集手段と、
前記判定手段により、リレー動画の一部であると判定された場合、前記シーン選択手段により選択されたシーンを含むリレー動画の他のシーンであって、前記第１の記録媒体とは異なる第２の記録媒体に記録されている他のシーンに対して編集処理を行うかをユーザに選択させるための編集処理選択手段と、
前記編集処理選択手段により前記他のシーンについて編集処理を行うことが選択された場合に、前記他のシーンに対する編集処理を記憶するように制御する記憶制御手段と、
着脱可能な記録媒体が装着されたか否かを判定する装着判定手段と、
前記装着判定手段によって、前記第２の記録媒体が装着されたと判定されると、当該第２の記録媒体に記録された前記他のシーンに対して、前記記憶制御手段によって記憶された編集処理を適用するための制御を行う制御手段と、を有することを特徴とする動画編集装置。
【請求項２】
前記編集処理選択手段は、前記第２の記録媒体に記録されている他のシーンに対して編集処理を行うかをユーザに選択させるための情報を表示することを特徴とする請求項１に記載の動画編集装置。
【請求項３】
前記第２の記録媒体が前記動画編集装置に装着されていない状態において、前記編集手段により前記シーン選択手段により選択されたシーンに対して編集処理が行われた場合、前記編集処理選択手段は、前記装着判定手段によって、前記第２の記録媒体が装着されたと判定されると、前記第２の記録媒体に記録されている他のシーンに対して編集処理を行うかをユーザに選択させるための情報を表示することを特徴とする請求項２に記載の動画編集装置。
【請求項４】
前記編集処理選択手段は、前記情報を表示する表示部と、前記表示部を通じたユーザ操作を受け付ける入力部とを有することを特徴とする請求項２又は３に記載の動画編集装置。
【請求項５】
前記編集処理は、前記シーン選択手段により選択されたシーンを削除する処理を含むことを特徴とする請求項１乃至４のいずれか１項に記載の動画編集装置。
【請求項６】
前記編集処理は、プレイリストへの追加、他の記録媒体へのコピー又は移動、プロテクト設定、印刷指定、プロテクト解除の少なくとも１つを含むことを特徴とする請求項１乃至５のいずれか１項に記載の動画編集装置。
【請求項７】
前記記憶制御手段は、前記動画編集装置に内蔵された記録媒体に、前記編集手段によって行われた編集処理を記憶するように制御することを特徴とする請求項１乃至６のいずれか１項に記載の動画編集装置。
【請求項８】
前記第１の記録媒体は、前記動画編集装置に内蔵された記録媒体であり、
前記記憶制御手段は、前記編集手段によって行われた編集処理を前記第１の記録媒体に記憶するように制御することを特徴とする請求項７に記載の動画編集装置。
【請求項９】
前記記憶制御手段は、前記シーン選択手段により選択されたシーンに対して行われた編集処理が、前記第２の記録媒体に記録されている他のシーンに対して行われたか否かを示す情報を生成し、記憶することを特徴とする請求項８に記載の動画編集装置。
【請求項１０】
前記制御手段は、前記第２の記録媒体に記録されている他のシーンに対して前記記憶制御手段に記憶された編集処理が行われた結果、前記情報が不要となった場合、当該情報を削除することを特徴とする請求項９に記載の動画編集装置。
【請求項１１】
前記シーン選択手段により選択されたシーンを含むリレー動画の他のシーンについて、前記装着判定手段により装着されていると判定された第２の記録媒体に記録されているシーンと他の記録媒体に記録されているシーンとを区別して表示させる表示制御手段をさらに有することを特徴とする請求項１乃至１０のいずれか１項に記載の動画編集装置。
【請求項１２】
前記リレー動画は、シーンごとに動画ファイルとして前記複数の記録媒体に記録されていることを特徴とする請求項１乃至１１のいずれか１項に記載の動画編集装置。
【請求項１３】
記録開始から記録停止までの連続する１つの動画が複数の記録媒体に跨って記録されている一連のリレー動画を編集する動画編集装置の制御方法であって、
シーン選択手段が、第１の記録媒体に記録されている動画のシーンの中から、編集処理を行うシーンを選択するシーン選択工程と、
判定手段が、前記シーン選択工程にて選択されたシーンが、リレー動画の一部であるかを判定する判定工程と、
編集手段が、前記シーン選択工程にて選択されたシーンに対して編集処理を行う編集工程と、
前記判定工程にてリレー動画の一部であると判定された場合、編集処理選択手段が、前記シーン選択工程により選択されたシーンを含むリレー動画の他のシーンであって、前記第１の記録媒体とは異なる第２の記録媒体に記録されている他のシーンに対して編集処理を行うかをユーザに選択させるための編集処理選択工程と、
記憶制御手段が、前記編集処理選択工程にて前記他のシーンについて編集処理を行うことが選択された場合に、前記他のシーンに対する編集処理を記憶するように制御する記憶制御工程と、
装着判定手段が、着脱可能な記録媒体が装着されたか否かを判定する装着判定工程と、
前記装着判定工程にて前記第２の記録媒体が装着されたと判定すると、制御手段が、当該第２の記録媒体に記録された前記他のシーンに対して、前記記憶制御工程にて記憶された編集処理を適用するための制御を行う制御工程と、を有することを特徴とする動画編集装置の制御方法。
【請求項１４】
コンピュータを、請求項１乃至１２のいずれか１項に記載の動画編集装置の各手段として機能させるプログラム。
【請求項１５】
コンピュータを、請求項１乃至１２のいずれか１項に記載の動画編集装置の各手段として機能させるプログラムを記憶したコンピュータにより読み取り可能な記憶媒体。
【発明の詳細な説明】
【技術分野】
【０００１】
本発明は、複数の記録媒体に跨って記録されている一連の動画を編集する動画編集技術に関するものである。
【背景技術】
【０００２】
昨今、装置に内蔵された記録媒体と装置に対して着脱可能な記録媒体の両方を兼ね備えたデジタルスチルカメラやデジタルビデオカメラ等の撮像装置が市販されている。このような撮像装置は、ユーザが撮影した静止画や動画の記録先の記録媒体を指定可能である。また、ユーザが記録先に指定した記録媒体の残容量が一定値を下回った場合に、他の記録媒体に引き続き記録していくことにより、長時間の記録に対応した製品も存在する。
【０００３】
特許文献１には、複数の記録媒体に跨って一連の動画を記録することが開示されている。特許文献１では、第１の記録媒体に記録された動画（ＤＳＣＦ１００１Ａ． ＡＶＩ）の続きの動画（ＤＳＣＦ１００１Ｂ． ＡＶＩ）が第２の記録媒体に記録され始めた際に書き込み拒否がなされた場合、第２の記録媒体に記録されたＤＳＣＦ１００１Ｂ． ＡＶＩと共に、第１の記録媒体に記録されたＤＳＣＦ１００１Ａ． ＡＶＩを消去することが開示されている。特許文献２には、連写撮影された一連の静止画像のうちの一部の静止画像に対して削除指示を行うと、関連付けられた一連の連写画像の全てを削除するための制御を行うことが開示されている。
【先行技術文献】
【特許文献】
【０００４】
【特許文献１】特開２００４−３２８０７３号公報
【特許文献２】特開２００１−３４６０８５号公報
【発明の概要】
【発明が解決しようとする課題】
【０００５】
しかしながら、特許文献１及び特許文献２では、例えば一連の動画が装置に内蔵された第１の記録媒体と装置に対して着脱可能な第２の記録媒体とに跨って記録されている場合に、第１の記録媒体のデータに対してある編集処理を実施したときに、第２の記録媒体が装着されていなかったとすると、その後、第２の記録媒体にある他方の動画に対して同様の編集処理を反映することができなくなってしまう。
【０００６】
本発明は、上記課題に鑑みてなされ、その目的は、複数の記録媒体に跨って記録された一連の動画のうち、一の記録媒体にある動画に実施した編集処理を、その時装着されていなかった他の記録媒体にある動画にも反映できるようにする技術を実現することである。
【課題を解決するための手段】
【０００７】
上記課題を解決し、目的を達成するために、本発明の動画編集装置は、記録開始から記録停止までの連続する１つの動画が複数の記録媒体に跨って記録されている一連のリレー動画を編集する動画編集装置であって、第１の記録媒体に記録されている動画のシーンの中から、編集処理を行うシーンを選択するシーン選択手段と、前記シーン選択手段により選択されたシーンが、リレー動画の一部であるかを判定する判定手段と、前記シーン選択手段により選択されたシーンに対して編集処理を行う編集手段と、前記判定手段により、リレー動画の一部であると判定された場合、前記シーン選択手段により選択されたシーンを含むリレー動画の他のシーンであって、前記第１の記録媒体とは異なる第２の記録媒体に記録されている他のシーンに対して編集処理を行うかをユーザに選択させるための編集処理選択手段と、前記編集処理選択手段により前記他のシーンについて編集処理を行うことが選択された場合に、前記他のシーンに対する編集処理を記憶するように制御する記憶制御手段と、着脱可能な記録媒体が装着されたか否かを判定する装着判定手段と、前記装着判定手段によって、前記第２の記録媒体が装着されたと判定されると、当該第２の記録媒体に記録された前記他のシーンに対して、前記記憶制御手段によって記憶された編集処理を適用するための制御を行う制御手段と、を有する。
【発明の効果】
【０００８】
本発明によれば、複数の記録媒体に跨って記録された一連の動画のうち、一の記録媒体にある動画に実施した編集処理を、その時装着されていなかった他の記録媒体にある動画にも反映することができる。
【図面の簡単な説明】
【０００９】
【図１】本発明に係る本実施形態の動画編集装置の概略構成を示すブロック図。
【図２】本実施形態によるリレー情報生成処理を示すフローチャート。
【図３】本実施形態のリレー情報を例示する図。
【図４】本実施形態による編集処理を示すフローチャート。
【図５】図４のＳ４０５及び図６のＳ６０５での表示例を示す図。
【図６】本実施形態による着脱可能記録媒体の装着時の処理を示すフローチャート。
【図７】本実施形態のリレー情報を例示する図。
【発明を実施するための形態】
【００１０】
以下に、添付図面を参照して本発明の実施の形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１１】
先ず、図１を参照して、本実施形態の動画編集装置の概略構成について説明する。図１において、本実施形態の動画編集装置は、デジタルビデオカメラ等の撮像装置に搭載されている。主制御部１０１は、撮像装置の各部を制御する。また、主制御部１０１は、後述する装着判定部１０５、編集制御部１０６、記憶制御部１０７、及びリレー情報生成部１０８を含む。
【００１２】
第１の記録媒体１０２、第２の記録媒体１０３、及び第３の記録媒体１０４は、本実施形態の撮像装置により撮影された動画を記録する。本実施形態では、動画データのほか、静止画データや音声データ等にも適用可能である。第１の記録媒体１０２は撮像装置に内蔵されたハードディスク等からなり、第２及び第３の記録媒体１０３，１０４は撮像装置に対して着脱可能なメモリカード等からなる。なお、本実施形態では、第１乃至第３の記録媒体１０２〜１０４という３種類の記録媒体を使用する構成を例示しているが、連続撮影される一連の動画を複数の記録媒体に跨って記録できる構成であれば、他の形態に適用しても良い。
【００１３】
装着判定部１０５は、第２及び第３の記録媒体１０３，１０４の撮像装置への装着（接続）及び非装着（非接続）を検出する。第２及び第３の記録媒体１０３，１０４が撮像装置へ装着されていれば、撮像装置と第２及び第３の記録媒体１０３，１０４は接続状態である。また、第２及び第３の記録媒体１０３，１０４が撮像装置へ装着されていなければ、撮像装置と第２及び第３の記録媒体１０３，１０４は非接続状態である。
【００１４】
編集制御部１０６は、第１乃至第３の記録媒体１０２〜１０４に記録されている動画に関する各種の編集処理を制御する。ここで編集処理とは、記録媒体に記録されている動画に関する編集処理であって、例えば、動画中の一部シーンの削除、動画を誤消去等から保護するプロテクト設定及び解除等が含まれる。また、同一又は他の記録媒体へのコピー、他の記録媒体へ移動、プレイリストへの登録、追加等も編集処理に含まれる。更に、外部機器との接続時に自動的に実行させる印刷指定及び転送指定、あるシーンに実施した編集内容を選択したシーンに適用するためのシーン選択等も編集処理に含まれる。
【００１５】
本実施形態は、上記いずれの編集処理にも適用できるため、一部の編集処理に適用した場合について例示的に説明する。なお、以下、ひとつの「シーン」は、単一の動画ファイルの動画ストリームを示すものとする。「リレー動画」は、リレー記録において動画の記録開始指示から停止までに記録された動画ストリームを示すものとする。即ち、１つのリレー動画は、複数の記録媒体に跨って記録された複数のシーン（複数の動画ファイル）で形成される。また、ひとつのリレー動画に含まれる複数のシーンのそれぞれを、「リレー記録シーン」と称する。
【００１６】
記憶制御部１０７は、撮影された動画を複数の記録媒体に跨って記録するリレー記録を実行するよう制御する（図２のＳ２０４で後述するリレー制御）。記憶制御部１０７は、リレー記録が完了すると、リレー情報生成部１０８に対してリレー制御に関する情報を送出し、リレー情報生成部１０８は、リレー制御情報や記録先情報等をリレー情報としてリレー情報記憶部１０９に記憶する。
【００１７】
リレー情報生成部１０８は、必要に応じてリレー情報記憶部１０９に記憶されているリレー情報を読み出し、編集制御部１０６に送出する。また、編集制御部１０６が記録媒体に記録されている動画に対し編集処理を実施した際、リレー情報記憶部１０９のリレー情報を参照し、編集対象シーンがリレー情報として記録されていた場合、編集内容を追加する等のリレー情報の更新を行う。
【００１８】
表示部１１０は、ＬＣＤやＥＶＦ等で構成され、撮像装置の動作状態やユーザ操作、後述する確認画面や警告等を表示する。入力部１１１はボタンやタッチパネル等からなり、撮像装置に対するユーザ操作を受け付け、ユーザにより入力された操作指示を主制御部１０１に出力する。カメラ部１１２は、被写体像を結像させるレンズ、レンズを通して結像された光を電気信号として取り込む撮像素子、撮像素子により生成された電気信号に対してＡ／Ｄ変換処理や現像処理を施し、動画を生成する画像処理回路等を備える。
【００１９】
画像処理回路により生成された動画は、主制御部１０１に出力されて、記憶制御部１０７により第１の記録媒体１０２、第２の記録媒体１０３、第３の記録媒体１０４に跨ってリレー記録される。
【００２０】
＜リレー情報生成処理＞ここで、図２及び図３及び図７を参照して、本実施形態によるリレー情報生成処理について説明する。なお、本実施形態では、カメラ部１１２により撮影された動画が、記憶制御部１０７により第１の記録媒体１０２、第２の記録媒体１０３、第３の記録媒体１０４の順番でリレー記録されていくものとする。即ち、ユーザ操作を受けてリレー記録が開始されると、先ず第１の記録媒体１０２に動画が記録される。その後、第１の記録媒体１０２の残容量が一定値を下回った場合やユーザ操作がなされた場合に、第１の記録媒体１０２から第２の記録媒体１０３へ動画の記録先が切り替えられて引き続き録画が継続される。更に第２の記録媒体１０３について上記と同様の条件が成立した場合に、第２の記録媒体１０３から第３の記録媒体１０４へ記録先が切り替えられて、と引き続き録画が継続される。
【００２１】
なお、動画の記録時において第２及び第３の記録媒体１０３，１０４は装置に装着されており、各記録媒体は予め初期化され、リレー記録される動画以外のデータは記録されていないものとする。なお、リレー記録が開始される条件や記録先が切り替えられる条件は、上述したものに限られるものではなく、他の条件を適用しても良い。
【００２２】
具体的な処理内容を図２のフローを参照して説明する。図２において、主制御部１０１は、ユーザ操作により入力部１１１を介してリレー記録開始指示が入力されたか否かを監視する（Ｓ２０１）。Ｓ２０１でリレー記録開始指示が入力された場合、記憶制御部１０７は、カメラ部１１２から入力される動画をリレー動画のうちのリレー記録シーン＃１の動画として第１の記録媒体１０２に記録する。上記第１の記録媒体１０２への動画の記録が開始されると、リレー情報生成部１０８は記録中のリレー動画のリレー情報を生成し、リレー情報記憶部１０９に記憶する（Ｓ２０２）。リレー情報は、１つのリレー動画に対して１つ生成される。
【００２３】
また、少なくともリレー記録されるリレー記録シーンごとに記録先の記録媒体の識別情報が順次生成され、リレー情報記憶部１０９に記憶される。例えば、１つのリレー動画に含まれる一連のリレー記録シーンのうち最初に記録されるシーンをリレー記録シーン＃１として、記録先の第１の記録媒体１０２の識別情報と関連付けたリレー情報＃１が生成される。本処理にて生成されるリレー情報については図３を参照して後述する。
【００２４】
図２に戻り、主制御部１０１は、リレー記録中の状態から所定のリレー記録停止条件が成立したか否かを監視する（Ｓ２０３）。このリレー記録停止条件とは、ユーザ操作により入力部１１１を介してリレー記録停止指示が入力されたか、又は撮像装置に装着された全ての記録媒体の残容量が記録可能最低量を下回った場合や記録媒体の不良等により記録不可と判定された場合等が想定される。Ｓ２０３で記録停止条件が成立した場合、主制御部１０１は、リレー記録を停止し（Ｓ２０７）、本処理を終了する。
【００２５】
また、記録停止条件が成立していない場合、記憶制御部１０７は、記録先の記録媒体を切り替えるためのリレー制御が発生したか否かを判定する（Ｓ２０４）。リレー制御が発生する条件は装置により異なるが、本実施形態では動画を記録している記録媒体の残容量が一定値を下回った場合とする。よって、Ｓ２０４では、主制御部１０１は、第１の記録媒体１０２の残容量が一定値を下回った場合にリレー制御が発生すると判定し、記録先の記録媒体を変更する（Ｓ２０５）。より詳細には、変更前の記録先が第１の記録媒体１０２であった場合は第２の記録媒体１０３へ変更される。また、変更前の記録先が第２の記録媒体１０３であった場合は第３の記録媒体１０４へ変更される。更に、変更前の記録先が第３の記録媒体１０４であった場合は第１の記録媒体１０２へ変更される。一方、Ｓ２０４で、リレー制御が発生しないと判定された場合は、再度リレー記録停止条件が成立したか否かを監視する（Ｓ２０３）。
【００２６】
また、リレー制御により記録先の記録媒体が変更されると（Ｓ２０５）、リレー情報生成部１０８は、リレー情報記憶部１０９に記憶されているリレー情報を更新する（Ｓ２０６）。記録先の記録媒体が変更されると、同一のリレー動画に含まれるシーンが１つ増えるので、リレー情報＃１のリレー記録シーン＃を１つ増やし、変更された記録先の記録媒体の識別情報と共にリレー情報記憶部１０９に記憶する。本実施形態では、例えば、リレー記録シーン＃２として、記録先の第２の記録媒体１０３の識別情報がリレー情報＃１に追加される。その後、再度リレー記録停止条件が成立したか否かを監視する（Ｓ２０３）。
【００２７】
更にリレー動画を記録中に第２の記録媒体１０３の残容量が一定値を下回った場合、動画の記録先を第２の記録媒体１０３から第３の記録媒体１０４に変更し（Ｓ２０５）、リレー情報を更新する（Ｓ２０６）。この場合、リレー記録シーン＃３として、記録先の第３の記録媒体１０４の識別情報がリレー情報＃１に追加される。
【００２８】
次に、図３を参照して、Ｓ２０２及びＳ２０６で生成或いは更新されるリレー情報について説明する。リレー情報は主に、１回のリレー記録時（記録開始から終了まで）における動画の記録先（所在）に関する情報群であり、リレー記録を実行するごとに１つ生成される情報である。即ち、図３において、リレー情報３０１は４つのリレー情報＃１〜＃４が図示されているが、これは、４つのリレー動画がある状態である。この状態で再度リレー記録が実行されると、リレー情報＃５が追加される。また後述するが、編集処理により不要となったリレー情報は削除される場合もある。
【００２９】
３０２は、リレー情報３０１に含まれる登録情報を例示している。１つのリレー情報には、録画されているリレー記録シーン数３０３、リレー記録シーン情報３０５に対して実施された編集処理の数を示す編集情報数３０４、各編集情報の詳細な内容へアクセスするための編集情報ポインタ３２０、リレー記録シーン情報３０５を構成するデータが含まれる。リレー記録シーン数３０３は、１つのリレー情報３０１につき１つ登録される。リレー記録シーン情報３０５はリレー情報３０１に登録される１つのリレー記録シーン（単一媒体の単一動画ファイル）ごとに１つ登録される。即ち、リレー情報３０１には複数のリレー記録シーン情報３０５が登録される。また、１つのリレー情報には、編集情報ポインタ３２０によって複数の編集情報が関連付けて登録される。編集情報ポインタ３２０によって関連付けられる各編集情報の詳細は図７を用いて後述する。リレー動画記録時にリレー情報が生成された際等、リレー動画に編集が施されるまえは、編集情報は持たないので、編集情報数３０４は０、編集情報ポインタ３２０はNullである。
【００３０】
リレー記録シーン情報３０５は、リレー記録された各リレー記録シーンに関するデータであり、３０６はその詳細情報を例示している。１つのリレー記録シーン情報には、リレー記録順序３０７、記録媒体識別情報３０８、記録媒体内シーン番号３０９、シーン記録日時３１０が含まれる。リレー記録順序３０７は、１回のリレー記録においてそのシーンが何番目に記録されたものかを表す情報である。図３のリレー記録順序３０７では、１番目に記録されたシーンであることを表している。
【００３１】
記録媒体識別情報３０８は、シーンごとに記録されている記録先の記録媒体の識別情報（ＩＤ）である。この識別情報は、装置が記録媒体を個体ごとに識別するためのものであり、固有の値となる。記録媒体内シーン番号３０９は、記録されているリレー記録シーンが記録媒体識別情報３０８で識別される記録媒体内の何番目のシーンであるかを表す情報である。
【００３２】
シーン記録日時３１０は、記録されているリレー記録シーンが記録された日時を表す情報である。本実施形態では記録日時を例示しているが、リレー記録シーンを識別できる情報であればＩＤやデータサイズ等の情報でも良い。記録日時を付加した目的は、記録媒体識別情報３０８と記録媒体内シーン番号３０９だけではリレー情報に登録したシーンか否かを判定できない場合が発生することを考慮したためである。
【００３３】
例えば、図２のリレー記録開始時においては、Ｓ２０２で、リレー情報＃１（３０１）には、登録情報３０２として、リレー記録シーン数３０３に「３」、編集情報数３０４に「８」、リレー記録シーン情報＃１〜＃３（３０５）が生成される。各リレー記録シーン情報３０５は詳細情報３０６で構成される。詳細情報３０６には、リレー記録順序３０７が「１」、記録媒体識別情報３０８が「第１の記録媒体１０２」、記録媒体内シーン番号３０９が「００１」、シーン記録日時が「シーン＃１の記録日時」という情報が登録される。
【００３４】
また、１回目のリレー制御が実行されると、Ｓ２０６で、リレー記録シーン数３０３が「２」に更新され、リレー記録シーン情報３０５にシーン＃２情報が追加される。シーン＃２の詳細情報３０６には、リレー記録順序３０７が「２」、記録媒体識別情報３０８が「第２の記録媒体１０３」、記録媒体内シーン番号３０９が「００１」、シーン記録日時が「シーン＃２の記録日時」が登録される。
【００３５】
同様に２回目のリレー制御が実行されると、Ｓ２０６で、リレー記録シーン数３０３が「３」に更新され、リレー記録シーン情報３０５のシーン＃３が追加される。シーン＃３の詳細情報３０６には、リレー記録順序３０７が「３」、記録媒体識別情報が「第３の記録媒体１０４」、記録媒体内シーン番号３０９が「００１」、シーン記録日時が「シーン＃３の記録日時」情報が登録される。
【００３６】
また、リレー情報＃１（３０１）が既にある場合に、新たなリレー動画のリレー記録が実行されると、リレー情報＃２が新たに生成され、上述した詳細情報が登録される。
【００３７】
以上のように、図２のフローを実行することにより、リレー情報生成部１０８により生成されるリレー情報３０１が、リレー情報記憶部１０９に記憶され、管理される。
【００３８】
＜編集処理＞次に、図３乃至図５を参照して、リレー記録シーンに関する編集処理について説明する。
【００３９】
図４において、編集制御部１０６は、各記録媒体に記録されているリレー記録シーンに対して編集処理が実施されたか否かを監視する（Ｓ４０１）。編集処理には、「削除」、「転送指定」、「プロテクト設定」、「シーン選択」、「印刷指定」、「プロテクト解除」、「プレイリストへの追加」、「他の記録媒体へコピー」、「他の記録媒体へ移動」等がある。編集制御部１０６により編集処理が実施されると、リレー情報生成部１０８はリレー情報記憶部１０９に記憶されているリレー情報を参照する。そして、編集処理が実施されたシーン（編集対象シーン）がリレー情報に含まれるリレー記録シーンであるか否かを判定する（Ｓ４０２）。この判定は、編集対象シーンの情報と、各リレー情報に含まれるリレー記録シーン情報を順次比較することで行われる。Ｓ４０２での判定の結果、編集対象シーンがリレー情報３０１にない場合は、本処理を終了する。
【００４０】
一方、編集対象シーンがリレー情報に含まれるリレー記録シーンである場合、該当するリレー情報の編集情報数３０４の数値をひとつ増やし、実施された編集内容を示す個別編集情報（図７で後述する）を生成して、編集情報ポインタで関連付けて登録する。
【００４１】
リレー情報生成部１０８は、編集対象シーンが含まれるリレー情報＃において、編集対象シーンであるリレー記録シーンの他に、Ｓ４０１の実施された編集を施されていない未処理のリレー記録シーンを検索する。そして、未処理のリレー記録シーンが見つかった場合は主制御部１０１は、表示部１１０に図５に例示する確認画面を表示する。この確認画面には、「未処理」のリレー記録シーン（図の例ではリレー記録シーン＃２と＃３）に対して、編集対象シーン（図の例ではリレー記録シーン＃１）に施された編集内容（図の例では削除）を同様に適用するか否かをユーザに通知するための情報が表示される（Ｓ４０５）。
【００４２】
次に、主制御部１０１は、入力部１１１から編集内容を適用するという操作を受付たか否かを判定する（Ｓ４０６）。Ｓ４０６にて編集内容を適用するという操作を受け付けなかった（即ちユーザによって適用しないことが選択された）と判定した場合、後述するＳ４１０に移行する。また、Ｓ４０６にて編集内容を適用するという操作を受け付けた場合、リレー情報生成部１０８は編集対象シーンが含まれるリレー情報＃に含まれるリレー記録シーン情報を参照する。そして、リレー記録シーン情報の詳細情報から、Ｓ４０６にて編集内容の適用が選択されたシーンが編集可能か否かを判定する（Ｓ４０７）。ここで編集不可とは、編集内容を反映するシーンを記録している記録媒体が装置に装着されていない場合や、記録媒体の書き込み制御スイッチが書き込み禁止に設定されている等のアクセスできない状態を意図し且つ装置側で判定可能な状態とする。
【００４３】
Ｓ４０７にて、編集制御部１０６は、ユーザが編集内容の反映を選択したシーンが編集不可であると判定した場合、編集ができない旨の警告画面を表示部１１０に表示する（Ｓ４０９）、Ｓ４１０へ移行する。また、Ｓ４０７にて編集可能と判定した場合は、編集対象シーンの含まれるリレー情報＃に含まれるリレー記録シーン情報の未処理のシーンに対して編集処理を実施する（Ｓ４０８）。また、編集制御部１０６は、リレー情報に関連づけられる個別編集情報をに更新する（Ｓ４１０）。ここでは、図７で後述する個別編集情報に含まれる適用済シーン情報７０９には、Ｓ４０１で編集が実施されて編集対象シーンと、Ｓ４０８で編集が実施されたリレー記録シーンを処理済みとして記録する。なおこの際、編集内容が削除だった等により、単一のリレー動画に含まれるリレー記録シーンがすべて削除された場合は、該当するリレー情報も削除する。
【００４４】
図７に、上述したリレー記録シーンに関する編集処理によって生成される個別編集情報の例を示す。個別編集情報は、ひとつのリレー動画のリレー情報毎に、編集処理を施した回数分関連付けて記録される。図７の個別編集情報７０４Ａは、図３で前述したリレー情報＃１の編集情報ポインタ３２０によってリレー情報＃１（３０２）に関連付けて記録されているリレー動画１についての個別編集情報である。個別編集情報７０４Ａは、編集実施記録媒体情報７０５、編集実施シーン番号７０６、個別編集内容７０７、シーン記録日時７０８、適用済みシーン情報７０９、編集情報ポインタ７１０を含む。
【００４５】
編集実施記録媒体情報７０５は、図４のＳ４０１での編集処理が実施された編集対象シーンが記録されている記録媒体の情報である。編集実施シーン番号７０６は、編集実施記録媒体情報７０５に登録された記録媒体に記録されているシーンのうち、編集が実施されたシーンの番号である。また、編集実施記録媒体情報７０５と編集実施シーン番号７０６だけでは識別できない場合があるので、編集対象シーンのシーン記録日時７０８が登録され、登録されているシーンに誤りがないか確認するための指標となる。なお、本実施形態では、シーン記録日時７０８を指標としているが、シーンを識別できる情報であればＩＤやデータサイズ等を参照しても良い。
【００４６】
個別編集内容７０７は、図４のＳ４０１にて実施された編集処理の内容である。適用済シーン情報７０９は、リレー情報♯１に登録されているシーンのうち、個別編集内容７０７に登録された編集処理が適用済みのシーン情報である。編集情報ポインタ７１０は、個別編集情報７０４が複数存在する場合に、それぞれの個別編集情報７０４の登録位置等を指定するための情報である。
【００４７】
図７では、リレー情報＃１のリレー動画について、先ず第１の記録媒体１０２のリレー記録シーン＃１に対し「転送指定」を実施しているため、リレー情報♯１における、個別編集情報７０４Ａとして、編集実施記録媒体情報７０５に「第１の記録媒体１０２」、編集実施シーン番号７０６に「１」、個別編集内容７０７に「転送指定」、シーン記録日時７０８に「シーン＃１が記録された日時」が登録されている。また、適用済みシーン情報７０９には、リレー記録シーン＃１と＃３に転送指定を適用済みで、リレー記録シーン＃２には転送指定が適用済みでないことが登録されている。編集情報ポインタ７１０は、次の個別編集情報７０４Ｂの登録位置を指し示す情報が登録されている。以下、同様に７０４Ｂ〜７０４Ｈには編集内容としてそれぞれ、プレイリストへの追加、第1記録媒体１０２へのコピー、プロテクト設定、シーン選択、印刷指定、プロテクト解除、第1記録媒体１０２への移動についての個別編集情報が記録されている。
【００４８】
＜着脱可能記録媒体の装着時の処理＞次に、図６を参照して、着脱可能記録媒体の装着時の処理について説明する。図６において、主制御部１０１は装着判定部１０５により記録媒体が装着されたか否か（接続されたか否か）監視する（Ｓ６０１）。本実施形態における着脱可能記録媒体は、第２の記録媒体１０３あるいは第３の記録媒体１０４であるので、いずれかが装着されていない状態から装着されると、着脱可能記録媒体が装着されたと判定する。
【００４９】
主制御部１０１は、着脱可能記録媒体の装着を検出すると、リレー情報記憶部１０９のうちの１つのリレー情報を参照し、装着された記録媒体に記録されているシーンに関するリレー情報があるか否か判定する（Ｓ６０２）。例えば、前述した図３、図７の内容でリレー情報が記録されている場合に、Ｓ６０１で第２の記録媒体１０３が装着されたと判定されると、まず図３のリレー情報＃１を参照する。その結果リレー情報＃１に登録されているリレー記録シーン＃２が第２の記録媒体１０３に記録されていることがわかるため、リレー情報に、装着された記録媒体に記録されているシーンが登録されていると判定できる。Ｓ６０２で、リレー情報に、装着された記録媒体に記録されているシーンが登録されていると判定するとＳ６０３に進み、登録されていないと判定するとＳ６１０に進む。
【００５０】
Ｓ６０３では、主制御部１０１は、参照しているリレー情報＃１に対し、個別編集情報７０４があるか否か判定する（Ｓ６０３）。これは編集情報数３０４を参照することで判定できる。個別編集情報があると判定するとＳ６０４に進み、個別編集情報がないと判定すると、Ｓ６１０に進む。
【００５１】
Ｓ６０４では、個別編集情報７０４の適用済シーン情報７０９を参照し、未処理となっているシーンが、Ｓ６０１で検出された着脱可能記録媒体に記録されているか否かを判定する。未処理となっているシーンが着脱可能記録媒体に記録されていると判定した場合はＳ６０５に進み、そうでない場合はＳ６１０に進む。
【００５２】
Ｓ６０５では、個別編集情報７０４の適用済シーン情報７０９で未処理となっていて、Ｓ６０１で検出された着脱可能記録媒体に記録されているリレー記録シーンに対して、個別編集情報７０４の個別編集内容７０７に登録されている編集処理を適用するか否かの要否をユーザに選択させるための確認画面を表示部１１０に表示する。この確認画面の表示例を図５（ｂ）に示す。
【００５３】
図５（ｂ）は、Ｓ６０５で表示部１１０に表示される未処理のシーンへの編集実行確認画面の表示例である。ガイド５１１では、Ｓ６０１で装着されたことが検出された着脱可能記録媒体内に記録されているリレー記録シーンについて、他の記録媒体に記録された同一のリレー動画（リレー情報＃１のリレー動画）の他のリレー記録シーンが編集されたことを示している。ガイド５１２は、現在参照しているリレー情報が、リレー情報＃１であることを示している。ガイド５１３は、リレー情報＃１に含まれるリレー記録シーン＃１が編集対象シーンとして編集されたことがあり、編集内容が「削除」であったこと、およびリレー記録シーン＃１が記録されているのは第１の記録媒体１０２であること示している。ガイド５１４は、Ｓ６０１で装着が検出された記録媒体に記録されている、シーン情報＃１に含まれるリレー記録シーン＃２にはリレー記録シーン＃１に実施された処理である削除が行われていない（未処理）であることを示している。また、Ｓ６０１で装着されたことが検出された記録媒体が、第２の記録媒体１０３であることもこの部分を見て知ることができる。
【００５４】
ガイド５１５は、装着された記録媒体のリレー記録シーンにも、編集された他の記録媒体のリレー記録シーンに施された編集と同じ編集を適用するか（反映するか）を問うガイドである。この例では、第２の記録媒体１０３に記録されているリレー記録シーン＃２に対しても、第１の記録媒体１０２に記録されているリレー記録シーン＃１に施された編集と同じ「削除」の処理を実施するか否かを問うている。入力部１１１を操作することによってここで「YES」を選択すれば、リレー記録シーン＃２は第２の記録媒体１０３から削除される。入力部１１１を操作してここで「No」を選択すればリレー記録シーン＃２は削除されない。ガイド５１６は、リレー情報＃１には、ほかに第３の記録媒体１０４に記録されたリレー記録シーン＃３が存在しており、これには編集対象シーン（リレー記録シーン＃１）に対して実施された処理（削除）が行われていないことを示している。
【００５５】
図６に戻り、Ｓ６０６で、編集の実施が指示されたか否かを判定する。これは、図５（ｂ）のガイド５１５の部分で、入力部１１１を操作することによってＹｅｓが選択されたかＮｏが選択されたかの判定である。Ｙｅｓが選択されたと判定した場合はＳ６０７に進み、Ｎoが選択されたと判定した場合はＳ６０８に進む。
【００５６】
Ｓ６０７では、個別編集情報７０４の適用済シーン情報７０９が示す、装着された記録媒体に記録されていて未処理となっているリレー記録シーンに対して、個別編集情報７０４の個別編集内容７０７が示す編集（他の記録媒体に記録された編集対象シーンに施された編集）を施す。
【００５７】
Ｓ６０８では、リレー情報を更新する。Ｓ６０７で未処理のリレー記録シーンに新たに編集が施されていれば、適用済シーン情報７０９においてそのリレー記録シーンを適用済に更新する。また、Ｓ６０７での処理が削除で、１つのリレー動画のすべてのリレー記録シーンが削除されたことになった場合は、そのリレー動画のリレー情報自体を削除する。
【００５８】
Ｓ６０９では、すべての編集情報について処理を完了したか否かを判定する。現在参照しているリレー情報に複数の編集情報が登録されていおり、まだ処理していない編集情報がある場合はＳ６０５に戻り処理を繰り返す。１つのリレー情報についてすべての編集情報の処理が完了した場合はＳ６１０に進む。
【００５９】
Ｓ６１０では、すべてのリレー情報について処理が完了したか否かを判定する。即ちリレー情報記憶部１０９に、まだ未処理のリレー情報があるか否かを判定する。まだ未処理のリレー情報があった場合は、Ｓ６０２に戻り、未処理のリレー情報について処理をする。例えば、Ｓ６１０の前までリレー情報＃１を参照しており、Ｓ６１０で未処理のリレー情報があると判定された場合は、Ｓ６０２に戻り、リレー情報＃２を参照して処理を繰り返す。Ｓ６１０で未処理のリレー情報がないと判定されると処理を終了する。
【００６０】
以上説明したように、複数の記録媒体に跨って記録された一連のリレー動画のうちの１つの動画に編集処理を施すと、その際に装着されていなかった記録媒体のシーンに対しても、その後にその記録媒体が装着されたことに応じて、図５（ｂ）のような編集処理を反映するための表示を行う。このようにすることで、新たに装着された記録媒体に記録されたリレー動画の一部のシーンに対して、他の記録媒体に記録された同じリレー動画の他のシーンに実施された編集処理を反映することができる。このように、一連のリレー動画が記録されている記録媒体がすべて同時に装着されていなくても、一連のリレー動画に対して一貫した編集処理を施すことができる。
【００６１】
なお、Ｓ６０５では個別編集内容７０７に登録されている編集処理を適用するか否かの要否をユーザに選択させるための確認画面を表示部１１０に表示し、適用することがユーザに選択された場合に、適用する処理を実行する例を説明した。しかしこれに限るものではなく、個別編集内容７０７に登録されている編集処理を適用するための制御であれば他の制御でも良い。例えば、個別編集内容７０７に登録されている編集処理を、ユーザからの指示を待たずに適用し、並行して、あるいは後に、ユーザから適用のキャンセル指示を受け付けても良い。
【００６２】
上述した各実施形態において、例えばリレー情報記憶部１０９を第１の記録媒体１０２として、或いは第２、第３の記録媒体１０３，１０４として実現することも可能である。この場合、第２及び／又は第３の記録媒体１０３，１０４は装着されていることが前提となる。
【００６３】
なお、主制御部１０１の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６４】
また、上述した実施形態においては、本発明をデジタルビデオカメラに適用した場合を例にして説明したが、これはこの例に限定されない。即ち本発明は、複数の記録媒体に跨って記録された関連動画を編集可能な装置であれば適用可能であり、パーソナルコンピュータ、デジタルスチルカメラ、ディスク再生装置等の動画再生装置、携帯電話、デジタルフォトフレーム等に適用可能である。
【００６５】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005693070.tif 000002
【図２】
0005693070.tif 000003
【図３】
0005693070.tif 000004
【図４】
0005693070.tif 000005
【図５】
0005693070.tif 000006
【図６】
0005693070.tif 000007
【図７】
0005693070.tif 000008